(57)【要約】【課題】従来に比べてＨＵＤの取り付け工程数を少なくする。【解決手段】取り付け具１０は、縦長形状のＨＵＤを固定する本体固定部１１と、被取り付け面に貼り付けられる、被貼り付け面の形状に応じて変形可能な３つの貼り付け部１２ａ，１２ｂ，１２ｃと、本体固定部１１に３つの貼り付け部１２ａ，１２ｂ，１２ｃを接続している３つの接続部１３ａ，１３ｂ，１３ｃとを備える。これにより、貼り付け部１２ａ，１２ｂ，１２ｃを被貼り付け面に貼り付ける工程と、本体固定部１１にＨＵＤを固定する工程の２工程で、ＨＵＤを取り付けることができる。【選択図】図１
2018111325.tif 000002
【特許請求の範囲】
【請求項１】
縦長形状のヘッドアップディスプレイを固定する固定部を少なくとも２つ有する本体固定部と、
被貼り付け面に貼り付けられる、前記被貼り付け面の形状に応じて変形可能な３つの貼り付け部と、
前記本体固定部に前記３つの貼り付け部を接続している３つの接続部とを備えるヘッドアップディスプレイの取り付け具。
【請求項２】
前記接続部は、前記本体固定部に対して前記貼り付け部が折れ曲がるための第１のスリットを有し、
前記貼り付け部は、前記第１のスリットに直交する第２のスリットを有することを特徴とする請求項１記載のヘッドアップディスプレイの取り付け具。
【請求項３】
前記本体固定部の縁部は折れ曲がった形状であることを特徴とする請求項１または請求項２記載のヘッドアップディスプレイの取り付け具。
【請求項４】
前記本体固定部は、前記ヘッドアップディスプレイの長手方向に並べて配置された第１の固定部と第２の固定部とを有し、
前記第１の固定部は、前記ヘッドアップディスプレイに設けられた溝に差し込まれる爪であり、
前記第２の固定部は、前記ヘッドアップディスプレイに設けられた短手方向に長いねじ用長穴に、ねじで締結されるねじ穴であることを特徴とする請求項１から請求項３のうちのいずれか１項記載のヘッドアップディスプレイの取り付け具。
【請求項５】
前記被貼り付け面はダッシュボードであって、
前記第１の固定部は、前記ダッシュボードのフロントガラス側に配置され、前記第２の固定部は、前記ダッシュボードのステアリングホイール側に配置されることを特徴とする請求項４記載のヘッドアップディスプレイの取り付け具。
【請求項６】
前記本体固定部は、前記ヘッドアップディスプレイの長手方向において前記第１の固定部と前記第２の固定部との間に配置された第３の固定部を有し、
前記第３の固定部は、前記ヘッドアップディスプレイに設けられた第１のボスに係合する、前記ヘッドアップディスプレイの長手方向に長い長穴または丸穴であることを特徴とする請求項４または請求項５記載のヘッドアップディスプレイの取り付け具。
【請求項７】
前記本体固定部は、前記ヘッドアップディスプレイの長手方向において前記第１の固定部と前記第２の固定部との間に配置された第４の固定部を有し、
前記第４の固定部は、前記ヘッドアップディスプレイに設けられた第２のボスに係合する、前記ヘッドアップディスプレイの短手方向に長い長穴であることを特徴とする請求項４から請求項６のうちのいずれか１項記載のヘッドアップディスプレイの取り付け具。
【請求項８】
請求項１から請求項７のうちのいずれか１項記載のヘッドアップディスプレイの取り付け具を備えたヘッドアップディスプレイ。
【発明の詳細な説明】
【技術分野】
【０００１】
この発明は、ヘッドアップディスプレイ（以下、「ＨＵＤ」と称する）を車両に取り付けるための取り付け具、およびその取り付け具を備えるヘッドアップディスプレイに関するものである。
【背景技術】
【０００２】
車両用のヘッドアップディスプレイは、ダッシュボードの上に取り付けられる。ダッシュボードの上に車載機器を取り付ける構造として、例えば特許文献１，２に記載されているような構造がある。
【０００３】
特許文献１に係る発明は、ダッシュボードの多様な曲面形状に応じて湾曲可能なスリットが設けられた固定板と、車載機器をねじで固定するための固定部とを備える。車載機器をダッシュボードに取り付ける際の作業工程は、固定板をダッシュボードに取り付ける工程と、その固定板に車載機器を取り付ける工程の２工程である。この特許文献２に係る発明は、車載機器を固定板に１点で固定するため、ＨＵＤのように縦長形状の車載機器を固定した場合に保持力が低い。保持力を高めるためには複数点で固定する必要があるが、固定板がダッシュボードの形状に応じて変形されるため、車載機器を固定板に複数点で固定することが困難である。
【０００４】
特許文献２に係る発明は、車載機器の支柱を支持する支持基台と、ダッシュボードの多様な曲面形状に応じて弾性変形可能な複数の固定板と、支持基台の複数の脚部と複数の固定板とを一対一で連結する連結部とを備える。特許文献２に係る発明は、支持基台を追加したことにより、車載機器を固定板に複数点で固定できるようになり、保持力が向上する。
【先行技術文献】
【特許文献】
【０００５】
【特許文献１】特開２００２−１８７４９０号公報
【０００６】
【特許文献２】特開平１１−２０８３７８号公報
【発明の概要】
【発明が解決しようとする課題】
【０００７】
しかしながら、特許文献２に係る発明は、支持基台と固定板とが別体になっているため、固定板をダッシュボードに取り付ける工程と、支持基台と固定板とを連結する工程と、支持基台と車載機器の支柱とを連結する工程とが必要であり、特許文献１に係る発明に比べて工程が増えるという課題があった。
なお、特許文献１における支持基台と固定板は、この発明の本体固定部と貼り付け部に相当する。
【０００８】
この発明は、上記のような課題を解決するためになされたもので、特許文献２に開示されたような従来技術に比べて、ＨＵＤをダッシュボードに取り付ける工程数を少なくすることを目的とする。
【課題を解決するための手段】
【０００９】
この発明に係るＨＵＤの取り付け具は、縦長形状のヘッドアップディスプレイを固定する固定部を少なくとも２つ有する本体固定部と、被貼り付け面に貼り付けられる、被貼り付け面の形状に応じて変形可能な３つの貼り付け部と、本体固定部に３つの貼り付け部を接続している３つの接続部とを備えるものである。
【発明の効果】
【００１０】
この発明によれば、本体固定部、貼り付け部および接続部を一体物にしたので、従来必要だった本体固定部と貼り付け部とを連結する工程を省略でき、従来に比べてＨＵＤの取り付け工程数を少なくすることができる。
【図面の簡単な説明】
【００１１】
【図１】この発明の実施の形態１に係るＨＵＤの取り付け具の構成例を示す斜視図である。
【図２】この発明の実施の形態１に係るＨＵＤの構成例を示す図であり、図２ＡはＨＵＤの正面側、図２ＢはＨＵＤの背面側を示す。
【図３】この発明の実施の形態１に係るＨＵＤをダッシュボードに取り付けた状態を示す図である。
【図４】この発明の実施の形態１に係るＨＵＤの取り付け具をダッシュボードに貼り付ける工程を説明する図である。
【図５】この発明の実施の形態１に係るＨＵＤをダッシュボードに取り付ける工程を説明する図であり、図５ＡはＨＵＤの底面側、図５ＢはＨＵＤの上面側を示す。
【図６】この発明の実施の形態１に係るＨＵＤの左右位置調整方法を説明する図である。
【発明を実施するための形態】
【００１２】
実施の形態１．
図１は、この発明の実施の形態１に係るＨＵＤの取り付け具１０の構成例を示す斜視図である。図２は、この発明の実施の形態１に係るＨＵＤ１の構成例を示す図であり、図２ＡはＨＵＤ１の正面側、図２ＢはＨＵＤ１の背面側を示す。図３は、この発明の実施の形態１に係るＨＵＤ１を車両のダッシュボード１００に取り付けた状態を示す図である。実施の形態１では、ダッシュボード１００のフロントガラス１０１側を前、ステアリングホイール１０２側を後ろとする。
【００１３】
ＨＵＤ１は、ディスプレイ３１、ねじ用凹部３２ａ，３２ｂ、通風孔３３、液晶画面３４、ヒンジ３５、コネクタ３６、照度センサ３７、溝３８ａ，３８ｂ、位置決め用ボス３９、回転用ボス４０、およびねじ用長穴４１ａ，４１ｂを備える。位置決め用ボス３９は「第１のボス」であり、回転用ボス４０は「第２のボス」である。これらの構成のうちの一部の構成は、ＨＵＤ１の底面側に設けられているため、図１〜図３では見えていない。このＨＵＤ１は、ダッシュボード１００の上に、取り付け具１０により取り付けられる。ＨＵＤ１は、前後方向に長い縦長形状であり、前後方向が長手方向、左右方向が短手方向となる。
【００１４】
ケーブル１０４の一方はコネクタ３６に接続され、もう一方はカーナビゲーション装置１０３に接続される。液晶画面３４は、ケーブル１０４を通じてカーナビゲーション装置１０３から受信した映像を、半透明のディスプレイ３１に投影する。液晶画面３４が発する熱は通風孔３３からＨＵＤ１外部へと放熱される。また、液晶画面３４は、照度センサ３７が検出する外光照度に応じて、輝度を調整する。ディスプレイ３１は、ヒンジ３５によりＨＵＤ１に連結されており、前後方向に可動する。ディスプレイ３１が前後方向に移動すると、ディスプレイ３１における映像の表示位置が上下方向に移動する。一方、ディスプレイ３１は左右方向には可動しないため、ディスプレイ３１における映像の表示位置は左右方向に移動しない。このように、ＨＵＤ１は、ディスプレイ３１の映像表示位置を上下方向に調整できる構成であるが、左右方向には調整できない構成である。
【００１５】
取り付け具１０は、本体固定部１１、貼り付け部１２ａ，１２ｂ，１２ｃ、接続部１３ａ，１３ｂ，１３ｃ、曲げ部１４ａ，１４ｂ、第１のスリット１５ａ，１５ｂ，１５ｃ、第２のスリット１６ａ，１６ｂ，１６ｃ、爪１７ａ，１７ｂ、ねじ穴１８ａ，１８ｂ、位置決め用長穴１９、回転用長穴２０、凹部２１ａ，２１ｂ、および凹部２２を備える。この取り付け具１０は、例えば、１枚の金属板が加工されたものであり、本体固定部１１と貼り付け部１２ａ，１２ｂ，１２ｃと接続部１３ａ，１３ｂ，１３ｃとは、一体物である。
【００１６】
本体固定部１１は、ＨＵＤ１を本体固定部１１自身に固定するための固定部を有する。固定部には、「第１の固定部」である爪１７ａ，１７ｂ、「第２の固定部」であるねじ穴１８ａ，１８ｂ、「第３の固定部」である位置決め用長穴１９、および「第４の固定部」である回転用長穴２０がある。図１の例では、爪１７ａ，１７ｂ、位置決め用長穴１９、回転用長穴２０、およびねじ穴１８ａ，１８ｂは、この順で、本体固定部１１の前から後ろへ並んでいる。なお、第１の固定部は２つの爪１７ａ，１７ｂであるが、爪の数は２つに限らず任意でよい。第２の固定部は２つのねじ穴１８ａ，１８ｂであるが、ねじ穴の数は２つに限らず任意でよい。
【００１７】
また、本体固定部１１には、縁部が折れ曲がった形状の曲げ部１４ａ，１４ｂが形成される。曲げ部１４ａ，１４ｂは、本体固定部１１が変形しないよう、本体固定部１１の剛性を確保するためのものである。曲げ部１４ａ，１４ｂの幅を大きくするほど、本体固定部１１の剛性を高めることができる。本体固定部１１に曲げ部１４ａ，１４ｂがあることで、貼り付け部１２ａ，１２ｂ，１２ｃに比べて本体固定部１１の方が剛性が高い。また、本体固定部１１には、爪１７ａ，１７ｂの剛性を確保するための凹部２１ａ，２１ｂが設けられている。さらに、本体固定部１１には、ねじ穴１８ａ，１８ｂ周囲の剛性を確保するための凹部２２が設けられている。
【００１８】
貼り付け部１２ａは、接続部１３ａを介して、本体固定部１１の前方左側に接続している。貼り付け部１２ｂは、接続部１３ｂを介して、本体固定部１１の前方右側に接続している。貼り付け部１２ｃは、接続部１３ｃを介して、本体固定部１１の後側に接続している。貼り付け部１２ａ，１２ｂ，１２ｃのダッシュボード１００側の面は、両面テープまたは接着剤によりダッシュボード１００へ貼り付けられる。
【００１９】
接続部１３ａ，１３ｂ，１３ｃには、第１のスリット１５ａ，１５ｂ，１５ｃが設けられている。貼り付け部１２ａ，１２ｂ，１２ｃは、第１のスリット１５ａ，１５ｂ，１５ｃに沿って折れ曲がりやすい。図１の矢印Ａ，Ｂ，Ｃは、本体固定部１１に対して貼り付け部１２ａ，１２ｂ，１２ｃが折れ曲がる方向を示す。
【００２０】
また、貼り付け部１２ａには、１つ以上の第２のスリット１６ａが設けられている。この第２のスリット１６ａは第１のスリット１５ａに直交する。同様に、貼り付け部１２ｂ，１２ｃには、第２のスリット１６ｂ，１６ｃが設けられている。第２のスリット１６ｂ，１６ｃは第１のスリット１５ｂ，１５ｃに直交する。貼り付け部１２ａ，１２ｂ，１２ｃは第２のスリット１６ａ，１６ｂ，１６ｃに沿って折れ曲がりやすい。図１の矢印Ｄ，Ｅ，Ｆは、貼り付け部１２ａ，１２ｂ，１２ｃが折れ曲がる方向を示す。図１の例では、１つの貼り付け部に４つの第２のスリットが設けられているが、第２のスリットの数は４つに限らず任意でよい。第２のスリットの数が多いほど、貼り付け部は多様な形状に変形する。
【００２１】
このように、互いに直交する第１のスリット１５ａ，１５ｂ，１５ｃおよび第２のスリット１６ａ，１６ｂ，１６ｃがあることで、貼り付け部１２ａ，１２ｂ，１２ｃは、前後方向および左右方向のどちらへも折り曲げ可能である。よって、貼り付け部１２ａ，１２ｂ，１２ｃは、ダッシュボード１００の多様な曲面形状に合わせて変形できる。
【００２２】
図１の例では、取り付け具１０の後ろ側の貼り付け部１２ｃを横長形状とし、前方左右側の貼り付け部１２ａ，１２ｂを縦長形状とすることで、取り付け具１０が前後に長い縦長形状になる。これにより、取り付け具１０は、縦長形状のＨＵＤ１の外形からはみ出さない外形形状になり、ＨＵＤ１をダッシュボード１００に取り付けた後の意匠性を確保できる。なお、取り付け具１０の外形形状、貼り付け部１２ａ，１２ｂ，１２ｃの形状、および貼り付け部１２ａ，１２ｂ，１２ｃの配置位置などは、ＨＵＤ１の形状に合わせて変更可能である。なお、ダッシュボード１００の曲面形状に沿いやすいよう、貼り付け部の数は３つにする。
【００２３】
次に、取り付け具１０を用いてＨＵＤ１をダッシュボード１００に取り付ける工程を説明する。第１の工程ではダッシュボード１００に取り付け具１０が貼り付けられ、第２の工程ではその取り付け具１０にＨＵＤ１が固定される。
【００２４】
まず、第１の工程を説明する。
図４は、この発明の実施の形態１に係るＨＵＤ１の取り付け具１０をダッシュボード１００に貼り付ける工程を説明する図である。
図４において、作業者は、ダッシュボード１００の曲面形状に合わせて、取り付け具１０の貼り付け部１２ａ，１２ｂ，１２ｃを折り曲げる。取り付け具１０は金属板であるため、貼り付け部１２ａ，１２ｂ，１２ｃは、作業者によって折り曲げられると塑性変形する。続いて、作業者は、貼り付け部１２ａ，１２ｂ，１２ｃのダッシュボード１００側の面に、両面テープまたは接着剤をつけ、貼り付け部１２ａ，１２ｂ，１２ｃを被貼り付け面１００ａ，１００ｂ，１００ｃに貼り付ける。
【００２５】
次に、第２の工程を説明する。
図５は、この発明の実施の形態１に係るＨＵＤ１をダッシュボード１００に取り付ける工程を説明する図であり、図５ＡはＨＵＤ１の底面側、図５ＢはＨＵＤ１の上面側を示す。なお、図５Ａにおいて、取り付け具１０は、不図示のダッシュボード１００に貼り付けられた状態であり、貼り付け部１２ａ，１２ｂ，１２ｃには両面テープ５０ａ，５０ｂ，５０ｃがつけられている。図６は、この発明の実施の形態１に係るＨＵＤ１の左右位置調整方法を説明する図である。ＨＵＤ１の底面には溝３８ａ，３８ｂ、位置決め用ボス３９、および回転用ボス４０が設けられている。爪１７ａ，１７ｂと溝３８ａ，３８ｂとの係合部分は、ＨＵＤ１を取り付け具１０に固定する固定部としての機能を有する。位置決め用長穴１９と位置決め用ボス３９の係合部分は、ＨＵＤ１を取り付け具１０に固定する固定部としての機能と、ＨＵＤ１の回転中心となる機能と、取り付け具１０に対してＨＵＤ１の左右方向の位置決めをする機能とを有する。回転用長穴２０と回転用ボス４０の係合部分は、ＨＵＤ１を取り付け具１０に固定する固定部としての機能と、ＨＵＤ１の回転をガイドする機能とを有する。ねじ穴１８ａ，１８ｂとねじ用長穴４１ａ，４１ｂのねじ締結部分は、ＨＵＤ１を取り付け具１０に固定する固定部としての機能を有する。
【００２６】
図５Ａおよび図５Ｂにおいて、作業者は、ＨＵＤ１の底面に設けられた溝３８ａ，３８ｂに、取り付け具１０の爪１７ａ，１７ｂを差し込む。これにより、ＨＵＤ１の前側が取り付け具１０に固定される。その際、作業者は、ＨＵＤ１の底面に設けられた位置決め用ボス３９を、取り付け具１０の位置決め用長穴１９に係合させる。また、作業者は、ＨＵＤ１の底面に設けられた回転用ボス４０を、取り付け具１０の回転用長穴２０に係合させる。続いて、作業者は、ねじ用凹部３２ａ，３２ｂの底部に形成されたねじ用長穴４１ａ，４１ｂの位置と、本体固定部１１のねじ穴１８ａ，１８ｂの位置とを合わせ、ねじ１１０ａ，１１０ｂにより締結する。
【００２７】
位置決め用長穴１９は、前後方向、つまり長手方向に長い長穴である。この位置決め用長穴１９は、作業者が溝３８ａ，３８ｂに爪１７ａ，１７ｂを差し込むときに、位置決め用ボス３９と本体固定部１１とが干渉しないように、差し込み方向に長い形状になっている。回転用長穴２０およびねじ用長穴４１ａ，４１ｂは、左右方向、つまり短手方向に長い長穴である。回転用長穴２０およびねじ用長穴４１ａ，４１ｂは、以下に説明するようにディスプレイ３１の左右方向の位置を調整可能にするために、左右方向に長い形状になっている。
【００２８】
図６においてねじ１１０ａ，１１０ｂが締結される前、ＨＵＤ１は、位置決め用長穴１９に係合した位置決め用ボス３９を中心として、矢印に示す左右方向に回転可能である。ＨＵＤ１が左右方向に回転するとき、回転用ボス４０は回転用長穴２０内を左右方向に移動する。また、爪１７ａ，１７ｂは溝３８ａ，３８ｂに差し込まれているだけなので、ＨＵＤ１が左右方向に回転するとき、爪１７ａ，１７ｂは溝３８ａ，３８ｂ内を左右方向に移動する。
作業者は、ＨＵＤ１を回転させてディスプレイ３１の左右方向の位置を調整した後、その状態で、ねじ用長穴４１ａ，４１ｂとねじ穴１８ａ，１８ｂとをねじ１１０ａ，１１０ｂで締結する。以上により、ＨＵＤ１がダッシュボード１００に取り付けられる。
【００２９】
図示例は、第１〜第４の固定部がＨＵＤ１を固定する構成であったが、この構成に限定されるものではない。第１〜第４の固定部のうち、少なくとも第１の固定部と第２の固定部とがＨＵＤ１を固定する構成であれば、縦長形状のＨＵＤ１を保持する保持力を確保できる。また、第１の固定部と第２の固定部だけでも、ディスプレイ３１の左右方向の位置を調整可能である。具体的には、第１の固定部である爪１７ａ，１７ｂと溝３８ａ，３８ｂの係合部分を回転中心としてＨＵＤ１が回転する構成にすることで、ディスプレイ３１の左右方向の位置を調整できる。
【００３０】
以上のように、実施の形態１に係る取り付け具１０は、本体固定部１１、貼り付け部１２ａ，１２ｂ，１２ｃ、および接続部１３ａ，１３ｂ，１３ｃを備える。本体固定部１１は、縦長形状のＨＵＤ１を固定する固定部を少なくとも２つ有する。貼り付け部１２ａ，１２ｂ，１２ｃは、被貼り付け面１００ａ，１００ｂ，１００ｃに貼り付けられるものであって、被貼り付け面１００ａ，１００ｂ，１００ｃの形状に応じて変形可能である。接続部１３ａ，１３ｂ，１３ｃは、本体固定部１１に貼り付け部１２ａ，１２ｂ，１２ｃを接続している。本体固定部１１と貼り付け部１２ａ，１２ｂ，１２ｃと接続部１３ａ，１３ｂ，１３ｃとが一体物であるため、従来必要だった本体固定部１１と貼り付け部１２ａ，１２ｂ，１２ｃとを連結する工程を省略することができる。そのため、ダッシュボード１００に取り付け具１０を貼り付ける工程と、その取り付け具１０にＨＵＤ１を固定する工程の２工程で、ＨＵＤ１をダッシュボード１００に取り付けることができ、作業性が向上する。また、本体固定部１１は変形しないため、この本体固定部１１にはＨＵＤ１を固定する固定部を複数設けて保持力を高めることができる。実施の形態１では、ＨＵＤ１を取り付け具１０に固定するための固定部として、少なくとも第１の固定部と第２の固定部を設けたので、保持力が高くなり、縦長形状のＨＵＤ１を保持できる。
【００３１】
また、実施の形態１の接続部１３ａ，１３ｂ，１３ｃは、本体固定部１１に対して貼り付け部１２ａ，１２ｂ，１２ｃが折れ曲がるための第１のスリット１５ａ，１５ｂ，１５ｃを有する構成である。貼り付け部１２ａ，１２ｂ，１２ｃは、第１のスリット１５ａ，１５ｂ，１５ｃに直交する第２のスリット１６ａ，１６ｂ，１６ｃを有する構成である。この構成により、貼り付け部１２ａ，１２ｂ，１２ｃは、前後方向および左右方向のどちらへも折り曲げ可能となり、ダッシュボード１００の多様な曲面形状に合わせて変形できる。したがって、貼り付け部１２ａ，１２ｂ，１２ｃとダッシュボード１００が貼り付く面積が広くなる。
【００３２】
また、実施の形態１において、本体固定部１１の縁部は、折れ曲がった形状の曲げ部１４ａ，１４ｂを有する構成である。これにより、ＨＵＤ１が固定される本体固定部１１の剛性を高めることができる。
【００３３】
また、実施の形態１の本体固定部１１は、ＨＵＤ１の長手方向に並べて配置された第１の固定部と第２の固定部とを有する。第１の固定部は、ＨＵＤ１に設けられた溝３８ａ，３８ｂに差し込まれる爪１７ａ，１７ｂである。第２の固定部は、ＨＵＤ１に設けられた短手方向に長いねじ用長穴４１ａ，４１ｂに、ねじ１１０ａ，１１０ｂで締結されるねじ穴１８ａ，１８ｂである。この構成により、縦長形状のＨＵＤ１をその長手方向上２か所で固定できる。よって、取り付け具１０が縦長形状のＨＵＤ１を保持でき、車両の振動に対するＨＵＤ１の耐振性が確保される。さらに、ねじ用長穴４１ａ，４１ｂがＨＵＤ１の短手方向に長い長穴であることにより、ねじ１１０ａ，１１０ｂで締結される際にディスプレイ３１の短手方向の位置が調整可能となる。つまり、取り付け具１０の貼り付け位置が被貼り付け面１００ａ，１００ｂ，１００ｃからずれたとしても、容易にディスプレイ３１の位置調整が可能である。
【００３４】
なお、実施の形態１では、ＨＵＤ１の前側を溝３８ａ，３８ｂと爪１７ａ，１７ｂの係合により固定し、ＨＵＤ１の後ろ側をねじ用長穴４１ａ，４１ｂとねじ穴１８ａ，１８ｂのねじ締結により固定したが、反対に、ＨＵＤ１の前側をねじ用長穴４１ａ，４１ｂとねじ穴１８ａ，１８ｂのねじ締結により固定し、ＨＵＤ１の後ろ側を溝３８ａ，３８ｂと爪１７ａ，１７ｂの係合により固定してもよい。実施の形態１のようにＨＵＤ１をダッシュボード１００に取り付ける構成の場合、ダッシュボード１００の前側にはフロントガラス１０１があるため、ダッシュボード１００とフロントガラス１０１との間の空間が狭く、ねじを締結する作業が困難である。そのため、ＨＵＤ１の前側、つまりフロントガラス１０１側を、ねじ締結ではなく溝と爪の係合による固定とすることで、作業性が向上する。
【００３５】
また、実施の形態１の本体固定部１１は、ＨＵＤ１の長手方向において第１の固定部と第２の固定部との間に配置された第３の固定部を有する構成であってもよい。第３の固定部は、ＨＵＤ１に設けられた位置決め用ボス３９に係合する、ＨＵＤ１の長手方向に長い位置決め用長穴１９である。これにより、ＨＵＤ１の短手方向の位置決めができる。また、位置決め用長穴１９に係合した位置決め用ボス３９を中心としてＨＵＤ１を回転させてディスプレイ３１の短手方向の位置を調整できる。さらに、作業者が爪１７ａ，１７ｂを溝３８ａ，３８ｂに差し込む際に、位置決め用ボス３９と本体固定部１１との干渉を回避でき、作業性を損なわない。なお、作業者が爪１７ａ，１７ｂを溝３８ａ，３８ｂに差し込む際に、位置決め用ボス３９が本体固定部１１に干渉しない位置に設けられている場合には、位置決め用長穴１９は、長穴でなく丸穴でよい。
【００３６】
また、実施の形態１の本体固定部１１は、ＨＵＤ１の長手方向において第１の固定部と第２の固定部との間に配置された第４の固定部を有する構成であってもよい。第４の固定部は、ＨＵＤ１に設けられた回転用ボス４０に係合する、ＨＵＤ１の短手方向に長い回転用長穴２０である。これにより、回転用ボス４０が回転用長穴２０内を短手方向に移動でき、ＨＵＤ１の回転を可能にし、ディスプレイ３１の短手方向の位置を調整できる。
【００３７】
なお、本発明はその発明の範囲内において、実施の形態の任意の構成要素の変形、または実施の形態の任意の構成要素の省略が可能である。
また、ＨＵＤ１の取り付け先は、車両に限定されず、鉄道、船舶または航空機等を含む移動体であってもよい。
【符号の説明】
【００３８】
１  ＨＵＤ、１０  取り付け具、１１  本体固定部、１２ａ，１２ｂ，１２ｃ  貼り付け部、１３ａ，１３ｂ，１３ｃ  接続部、１４ａ，１４ｂ  曲げ部、１５ａ，１５ｂ，１５ｃ  第１のスリット、１６ａ，１６ｂ，１６ｃ  第２のスリット、１７ａ，１７ｂ  爪（第１の固定部）、１８ａ，１８ｂ  ねじ穴（第２の固定部）、１９  位置決め用長穴（第３の固定部）、２０  回転用長穴（第４の固定部）、２１ａ，２１ｂ，２２  凹部、３１  ディスプレイ、３２ａ，３２ｂ  ねじ用凹部、３３  通風孔、３４  液晶画面、３５  ヒンジ、３６  コネクタ、３７  照度センサ、３８ａ，３８ｂ  溝、３９  位置決め用ボス（第１のボス）、４０  回転用ボス（第２のボス）、４１ａ，４１ｂ  ねじ用長穴、５０ａ，５０ｂ，５０ｃ  両面テープ、１００  ダッシュボード、１００ａ，１００ｂ，１００ｃ  被貼り付け面、１０１  フロントガラス、１０２  ステアリングホイール、１０３  カーナビゲーション装置、１０４  ケーブル、１１０ａ，１１０ｂ  ねじ。
【図１】
2018111325.tif 000003
【図２】
2018111325.tif 000004
【図３】
2018111325.tif 000005
【図４】
2018111325.tif 000006
【図５】
2018111325.tif 000007
【図６】
2018111325.tif 000008